(57)【特許請求の範囲】
【請求項１】
シリンダーの一部又は全部を溶湯槽内の溶湯に浸漬させて横方向に配置し、該シリンダー内をプランジャーが相対的に往復運動することにより、該シリンダー内部に溶湯を吸引するとともに該溶湯を金型内に注入するようにしたホットチャンバーダイカストマシンであって、
前記シリンダーが、前記熔湯の熔湯面と、略平行な方向に往復運動するようにしたことを特徴とするホットチャンバーダイカストマシン。
【請求項２】
前記プランジャーが、前記熔湯の熔湯面と、略平行な方向に往復運動するようにしたことを特徴とする請求項１記載のホットチャンバーダイカストマシン。
【請求項３】
前記シリンダーを往復運動させるための駆動軸は、前記ポットの溶湯面より上部に設けられていることを特徴とする請求項１又は２記載のホットチャンバーダイカストマシン。
【請求項４】
前記シリンダーの周囲に、溶湯吸引用の口を設けてあることを特徴とする請求項１ないし３のいずれか１項記載のホットチャンバーダイカストマシン。
【請求項５】
シリンダーの一部又は全部を溶湯槽内の溶湯に浸漬させて横方向に配置し、該シリンダー内をプランジャーが相対的に往復運動することにより、該シリンダー内部に溶湯を吸引するとともに該溶湯を金型内に注入するようにしたホットチャンバーダイカストマシンであって、
前記シリンダーの金型側先端が開口状態となるようにし、該開口状態の部分から溶湯を該シリンダー内に吸引するようにしたことを特徴とするチャンバーダイカストマシン。
【発明の詳細な説明】
【技術分野】
【０００１】
本発明は、ホットチャンバーダイカストマシンに関し、セラミック製であるシリンダーおよびプランジャーの形状を、単純な形式として、価格を安価としたホットチャンバーダイカストマシンに関する。
【背景技術】
【０００２】
図４は、従来のホットチャンバーダイカストマシンの図である。
溶湯槽４に溶湯３が満たされ、その中に、シリンダー１が、浸漬されており、プランジャー２で、シリンダー１内に充填された溶湯を押し、ノズル部７を通過させて、金型５の
キャビティ６に、溶湯を充填させる。
【０００３】
特許文献１には、アルミニウム用ホットチャンバーダイカストマシンについて記載されている。溶湯槽の溶湯を主筒部分にて吸収し、ついで、プランジャー押して、金型５のキャビティに溶湯を充填させる構造である。
【先行技術文献】
【特許文献】
【０００４】
【特許文献１】特開平１０−１２８５１７号公報
【発明の概要】
【発明が解決しようとする課題】
【０００５】
従来のホットチャンバーダイカストマシンは、以下の問題点があった。
シリンダーが、溶湯槽の溶湯の面と垂直に配置されるため、金型のキャビティに溶湯を充填させるための、全体の構造が複雑となり、セラミック製であるシリンダー全体の価格が高価となり、ホットチャンバーダイカストマシンの全体の価格が高くなるという問題点があった。
【０００６】
本発明の課題は、シリンダ（セラミック製）およびプランジャーの形状を簡単にすることができ、気泡の発生を軽減した、価格が安価なホットチャンバーダイカストマシンを提供することである。
【課題を解決するための手段】
【０００７】
本発明の請求項１に係るホットチャンバーダイカストマシンは、シリンダーの一部又は全部を溶湯槽内の溶湯に浸漬させて横方向に配置し、該シリンダー内をプラージャーが相対的に往復運動することにより、該シリンダー内部に溶湯を吸引するとともに該溶湯を金型内に注入するようにしたことを特徴とするホットチャンバーダイカストマシンである。
【０００８】
本発明の請求項２に係るホットチャンバーダイカストマシンは、前記プランジャーが、前記熔湯の熔湯面と、略平行な方向に往復運動するようにしたことを特徴とする請求項１記載のホットチャンバーダイカストマシンである。
【０００９】
本発明の請求項３に係るホットチャンバーダイカストマシンは、前記シリンダーが、前記熔湯の熔湯面と、略平行な方向に往復運動するようにしたことを特徴とする請求項１または２記載のホットチャンバーダイカストマシンである。
【００１０】
本発明の請求項４に係るホットチャンバーダイカストマシンは、前記シリンダーを往復運動させるための駆動軸は、前記ポットの溶湯面より上部に設けられていることを特徴とする請求項３記載のホットチャンバーダイカストマシンである。
【００１１】
本発明の請求項５に係るホットチャンバーダイカストマシンは、前記シリンダーの周囲に、溶湯吸引用の口を設けてあることを特徴とする請求項１ないし４のいずれか１項記載のホットチャンバーダイカストマシンである。
【００１２】
本発明の請求項６に係るホットチャンバーダイカストマシンは、前記シリンダーの金型側先端が開口状態となるようにし、該開口状態の部分から溶湯を該シリンダー内に吸引するようにしたことを特徴とする請求項１記載のホットチャンバーダイカストマシンである。
【発明の効果】
【００１３】
本発明の請求項１のホットチャンバーダイカストマシンによれば、シリンダ（セラミック製）およびプランジャーの形状を簡単にすることができる。
【００１４】
本発明の請求項２のホットチャンバーダイカストマシンによれば、プランジャーの移動機構を簡単にすることができる。
【００１５】
本発明の請求項３のホットチャンバーダイカストマシンによれば、シリンダーの
移動機構を簡単にすることができる。
【００１６】
本発明の請求項４のホットチャンバーダイカストマシンによれば、シリンダーを往復運動させるための駆動軸を、溶湯槽内の溶湯から、離すことができ、装置の信頼性を向上できる。
【００１７】
本発明の請求項５のホットチャンバーダイカストマシンによれば、シリンダーの周囲に、溶湯吸引用の口を設けることによって、溶湯槽内の溶湯を吸引する場合の、気泡の発生を軽減できる。
【００１８】
本発明の請求項６のホットチャンバーダイカストマシンによれば、シリンダーの金型側先端が開口状態となるようにしたので、溶湯槽内の溶湯を吸引する場合の、気泡の発生を更に軽減できる。
【００１９】
本発明によれば、シリンダ（セラミック製）およびプランジャーの形状を簡単にすることができ、気泡の発生を軽減した、価格が安価なホットチャンバーダイカストマシンを提供することができる。
【図面の簡単な説明】
【００２０】
【図１】実施例１のホットチャンバーダイカストマシンの図。
【図２】実施例２のホットチャンバーダイカストマシンの図。図２（ａ）は、第１のタイプの上面図、図２（ｂ）は、図２（ａ）の断面図、図２（ｃ）は、第２のタイプの上面図、図２（ｄ）は、図２（ｃ）の断面図である。
【図３】実施例３のホットチャンバーダイカストマシンの図。
【図４】従来のホットチャンバーダイカストマシンの図。
【発明を実施するための形態】
【００２１】
本発明の実施の形態によるホットチャンバーダイカストマシンは、シリンダーの一部又は全部を溶湯槽内の溶湯に浸漬させて横方向に配置し、該シリンダー内をプランジャーが相対的に往復運動することにより、該シリンダー内部に溶湯を吸引するとともに該溶湯を金型内に注入するようにしたことを特徴とするホットチャンバーダイカストマシンである。
【００２２】
ここで、前記プランジャーは、前記熔湯の熔湯面と、略平行な方向に往復運動する。ままた、前記シリンダーも、前記熔湯の熔湯面と、略平行な方向に往復運動するようにしている。
【００２３】
前記シリンダーを往復運動させるための駆動軸は、前記ポットの溶湯面より上部に設けられていることを特徴とする。また、前記シリンダーの周囲に、溶湯吸引用の口を設けてあることを特徴とする。
【００２４】
更に、前記シリンダーの金型側先端が開口状態となるようにし、該開口状態の部分から溶湯を該シリンダー内に吸引するようにしたことを特徴とする。
【００２５】
（実施例１）
図１は、実施例１のホットチャンバーダイカストマシンの図である。図１のホットチャンバーダイカストマシンは、溶湯槽４内の溶湯３の中に浸漬された状態で、溶湯３の湯面の方向と、ほぼ、長手方向を合わせたシリンダー１、プランジャー２が配置されている。
前記プランジャー２は、シリンダー１の中を往復運動を行い、前記プランジャー２は、溶湯槽４の外部に配置された、駆動部（図示せず）にて直線方向に、駆動されている。
シリンダー８の周囲には、吸い込みポート９２が設けてあり、これによって、溶湯を該シリンダー内に吸引する
【００２６】
溶湯槽４のプランジャー２側の側面には、溶湯３がもれた場合の溜まり部が設けられている。この溜まり部は、熔湯３が、シリンダー内部に注入される場合の、熔湯のもれを溜めるために必要である。
【００２７】
シリンダー１の内部に充填された熔湯は、プランジャー２が左方向に移動することによって、前記熔湯が、ノズル部７を通過し、金型５のキャビティ６に注入される。
ここで、熔湯は、その材質は、アルミ、あるいはアルミ合金が溶融した状態である。
【００２８】
（実施例２）
図２は、実施例２のホットチャンバーダイカストマシンの図である。
図２（ａ）は、駆動軸を熔湯より上側に配置した、第１のタイプのホットチャンバーダイカストマシンの上面図であり、図２（ｂ）は、図２（ａ）の断面図である。
図２（ｃ）は、駆動軸が熔湯の内部を貫通する、第２のタイプのホットチャンバーダイカストマシンの上面図であり、図２（ｄ）は、図２（ｃ）の断面図である。
【００２９】
図２（ａ）、図２（ｂ）に示す駆動軸を熔湯より上側とした、第１のタイプのホットチャンバーダイカストマシンは、図２（ｂ）に示すように、駆動軸１０が、熔湯の面より、上側に配置され、駆動モー１２によって駆動される。
【００３０】
図２（ｃ）、図２（ｄ）に示す駆動軸が熔湯の内部を貫通する第２のタイプのホットチャンバーダイカストマシンは、図２（ｄ）に示すように、駆動軸１１が、熔湯の内部を貫通しており、駆動モー１２によって駆動される。
【００３１】
シリンダー８の周囲には、吸い込みポートが設けてあり、これによって、溶湯を該シリンダー内に吸引する場合、気泡の発生が、防止できる。前記溶湯吸引用の口の寸法範囲は、直径２ｍｍ以上から、直径１０ｍｍ以下の範囲である。
直径２ｍｍ未満であると、吸い込み性能が悪くなりキャビテーション、あるいはそれにもとづくエアレーション（気泡）が発生する。 また、直径１０ｍｍを超えると、溶湯からの夾雑物を吸い込むおそれがある。
【００３２】
（実施例３）
図３は、実施例３のホットチャンバーダイカストマシンの図である。
本ホットチャンバーダイカストマシンは、吸い込み工程において、シリンダー１を、第１のアクチュエター２４によって操作し、溶湯３を吸い込む場合に、気泡の発生を防ぐことができる。
ここで、シリンダー１の先端部が、開口状態となって溶湯を該シリンダー内に吸引するようにし、気泡の発生が、極力防止できる。
【００３３】
プランジャー２は、第２のアクチュエター３１によって、往復運動を行い、シリンダー１が吸い込んだ溶湯を、金型５のキャビティ内に注入する。
【産業上の利用可能性】
【００３４】
本発明のホットチャンバーダイカストマシンによれば、シリンダ（セラミック製）およびプランジャーの形状を簡単にすることができ、気泡の発生を軽減した、価格が安価なホットチャンバーダイカストマシンを提供することができ、産業の発展に寄与する。
【符号の説明】
【００３５】
１    シリンダー
２    プランジャー
３    溶湯
４    溶湯槽
５    金型
６    キャビティ
７    ノズル部
８    シリンダー
９      プランジャー
１０    駆動軸
１１    駆動軸
１２    駆動モーター
２２、２３  駆動系
２４  第１のアクチュエーター
３１  第２のアクチュエーター
７２    流入路
９１    ノズル部
９２    吸い込みポート
【図１】
0006582291.tif 000002
【図２】
0006582291.tif 000003
【図３】
0006582291.tif 000004
【図４】
0006582291.tif 000005